(57)【特許請求の範囲】
【請求項１】
冷却器を具備し、この冷却器により下向きに開口した複数の製氷室が冷却可能とされた製氷部と、この製氷部に対して開放及び閉塞可能に一側を軸支され、閉塞時に製氷用水を製氷部に供給する水皿とを備え、水皿開閉駆動機構にて水皿が製氷部を閉塞して製氷する製氷工程と、製氷後水皿が傾動して製氷部を開放し離氷させると共に、離氷後水皿が復動して製氷部を閉塞する離氷工程とを一製氷サイクルとして繰り返し製氷する逆セル型製氷機において、
一側に水皿の先端方向への氷の落下を阻止しない切欠を形成し、他側に水皿先端とは逆方向に氷を導く櫛状の氷案内部を形成し、水皿の傾動時に下方回動し、復動時に上方に収納されて氷を振り分ける振分装置を設けたことを特徴とする逆セル型製氷機。
【発明の詳細な説明】
【０００１】
【発明の属する技術分野】
本発明は、氷を生成する製氷部の下面を、傾復動可能な水皿にて閉塞する逆セル型製氷機に関する。
【０００２】
【従来の技術】
本発明に先行する従来技術として、特開平７−１６７５３９号公報（Ｆ２５Ｃ  １／０４）には、冷却器を具備し、この冷却器により下向きに開口した複数の製氷室が冷却可能とされた製氷部と、この製氷部に対して開放及び閉塞可能に一側を軸支され、閉塞時に製氷用水を製氷部に供給する水皿とを備え、水皿開閉駆動機構にて水皿が製氷部を閉塞して製氷する製氷工程と、製氷後水皿が傾動して製氷部を開放し離氷させると共に、離氷後水皿が復動して製氷部を閉塞する離氷工程とを一製氷サイクルとして繰り返し製氷する逆セル型製氷機が開示されている。
【０００３】
【発明が解決しようとする課題】
上述した様な従来技術において、離氷工程の際、水皿の傾動方向は一方向であるため、貯氷庫の片方に氷が積み上げられてしまい、この氷が積み上げられる側に貯氷センサが取り付けられていると、貯氷庫には十分に余裕があり、まだ氷を収納できるのにも関わらず、満氷を検知してしまう恐れがある。
【０００４】
また、氷が積み上げられる側の反対側に貯氷センサが取り付けられていると、貯氷センサが満氷を検知した時には、製氷部近傍まで氷が積み上げられ、製氷部から貯氷庫への通路が氷で詰まってしまう恐れがある。
【０００５】
本発明は、上述した様な問題点に鑑みてなされたもので、貯氷量を増加する事ができると共に、氷詰まりを防止する事を目的とした逆セル型製氷機を提供する。
【０００６】
【課題を解決するための手段】
上記目的を達成するための手段として、本発明の請求項１では、冷却器を具備し、この冷却器により下向きに開口した複数の製氷室が冷却可能とされた製氷部と、この製氷部に対して開放及び閉塞可能に一側を軸支され、閉塞時に製氷用水を製氷部に供給する水皿とを備え、水皿開閉駆動機構にて水皿が製氷部を閉塞して製氷する製氷工程と、製氷後水皿が傾動して製氷部を開放し離氷させると共に、離氷後水皿が復動して製氷部を閉塞する離氷工程とを一製氷サイクルとして繰り返し製氷する逆セル型製氷機において、一側に水皿の先端方向への氷の落下を阻止しない切欠を形成し、他側に水皿先端とは逆方向に氷を導く櫛状の氷案内部を形成し、水皿の傾動時に下方回動し、復動時に上方に収納されて氷を振り分ける振分装置を設けた製氷機を提供する。
【０００７】
このため、水皿の先端方向、水皿先端とは逆方向の両方に氷を振り分ける事ができる。
【０００８】
そして、水皿の傾動時に下方回動し、復動時に上方に収納され、氷を振り分ける振分装置を設けた逆セル型製氷機を提供する。
【０００９】
このため、振分装置が、山状となって溜められる氷の頂部を崩す事ができ、貯氷を平均化する事ができる。
【００１０】
そして、振分装置は、一側に水皿の先端方向への氷の落下を阻止しない切欠を形成し、他側に水皿先端とは逆方向に氷を導く櫛状の氷案内部を形成している。
【００１１】
このため、切欠にて水皿の先端方向への氷の落下を阻止しないと共に、氷案内部にて水皿先端とは逆方向に氷を導いて振り分ける事ができる。また、氷噛みなどで過大な力が加わった場合に撓むので、氷の破損を極力防止できる。
【００１２】
【発明の実施の形態】
以下、本発明の実施の形態を図面に基づいて説明する。
【００１３】
図１は本発明を具備する逆セル型製氷機の縦断面図、図２は振分装置の斜視図、図３は水皿復動時の製氷部の側面図、図４は水皿傾動時の製氷部の側面図、図５は他の実施形態を示す振分装置の斜視図である。
【００１４】
図１の１は逆セル型製氷機本体で、内外両箱２、３間に発泡断熱材４を発泡充填してなるものである。そして、この逆セル型製氷機１の前面には開口が形成されており、この開口は断熱扉５にて開閉自在に閉塞されている。また、この断熱扉５の外面上部には把手５Ａが取り付けられており、断熱扉５の内側には熱伝導性の低い部材で形成された内扉６が設けられている。これらの断熱扉５及び内扉６は下部を軸に前方に回動可能となっている。
【００１５】
そして、この逆セル型製氷機１の内側下部は、製氷された氷Ｉを貯留する貯氷庫７であり、内側上部には製氷装置８が設けられている。更に、前記貯氷庫７の背面上部には、氷Ｉが所定量溜まった事を検知する貯氷センサ９が設けられている。
【００１６】
尚、１０は溜まった氷から溶けだした水や製氷装置８にて製氷しきれなかった未氷結水を排水するための排水装置で、１１は逆セル型製氷機本体１下面の四隅に設けられ、高さ調整が可能な台脚である。
【００１７】
また、図３及び図４に示す如く、前記製氷装置８は、下向きに開口した複数の製氷室１２を有し、上面に蛇行する冷却管より構成される冷却器１３を具備する製氷部１４と、回動可能に一側を軸支され、製氷室１２を下方から閉塞する水皿１５と、この水皿１５に固定された水タンク１６と、水タンク１６内に給水された製氷用水を水皿表面に形成された噴水口から製氷室１２に噴水せしめる循環ポンプ１７と、そして回動可能に支持された水皿１５を傾動、復動せしめる正逆回転可能な水皿開閉用モータ１８を含む水皿開閉駆動機構１９にて構成されている。２０は水皿１５が図４に示すように傾動した時、水タンク１６から排水される製氷用水の排水受皿である。
【００１８】
前記水皿開閉用モータ１８の回転軸にはアーム２１が固定され、アーム２１の一端側２１Ａに取り付けたコイル発条２２の他端を水皿１５の側部に連結している。尚、このアーム２１とコイル発条２２は水皿１５の左右に一対に装設されている。
【００１９】
ここで水皿開閉用モータ１８の正転で水皿１５は開き、逆転で閉じるものとする。そして、図３に示すように水皿１５が閉じ製氷工程を行い、製氷終了に基づきモータ１８が正転して水皿１５が開き切る時、反時計方向に回転するアーム２１の他端側２１Ｂで動作されてモータ１８への通電を停止し、次の復動を可能なようにモータ駆動回路を逆転状態に切換えるモータ停止用制御スイッチ（図示せず）が支持梁２３に設けられている。
【００２０】
従って、離氷工程に入りモータ１８が逆転して水皿１５閉じる時、今度は時計方向にアーム２１が回動し、アーム２１の一端側２１Ａが図３のように上方に来て、モータ停止用制御スイッチを動作させ、モータ１８の停止及びモータ１８の正転方向を可能とするようにモータ駆動回路を切換形成する。
【００２１】
以上の如く、水皿開閉駆動機構１９にて水皿１５が製氷部１４を閉塞して製氷する製氷工程と、製氷後水皿１５が傾動して製氷部１４を開放し離氷させると共に、離氷後水皿１５が復動して製氷部１４を閉塞する離氷工程とを一製氷サイクルとして繰り返し製氷する。
【００２２】
尚、前記冷却器１３は図示しない圧縮機、凝縮器などと共に冷凍サイクルを構成するものである。
【００２３】
以上の構成にして以下に本発明の要旨を説明する。
【００２４】
前記水皿駆動機構１９には、ギヤ部２４が設けられており、このギヤ部２４にかみ合い、水皿１５の傾復動に対応して上下方向に回動する振分装置２５が設けられている。
【００２５】
この振分装置２５はステンレスにて形成され、図２に示す如く、前記製氷部１４の横幅と略同じ幅のプレート状を成しており、中央より先は、手前側に氷案内部２６を形成し、奥側を氷通過用の切欠２７としている。更に、この氷案内部２６はその先端を水皿１５側の方向に折曲している。
【００２６】
また、前述した氷案内部２６及び切欠２７は、前記水皿１５が傾動した際に、氷Ｉが導かれる通路、即ち水皿１５上面の延長線上に形成されているため、奥側を落下する氷Ｉは、前記切欠２７を通過して水皿１５の先端方向に導かれ、手前側から落下する氷Ｉは、前記氷案内部２６に当たって水皿１５先端とは逆方向に導かれるものである。
【００２７】
更に、前記氷案内部２６は下方回動時、山状に積まれる氷Ｉの頂部を崩すため、貯氷庫７内の氷Ｉを平均化することができ、より多く貯氷する事ができると共に、製氷装置８から貯氷庫７への通路が氷Ｉで詰まってしまう事を防止できる。
【００２８】
尚、振分装置２５の氷案内部２６は、図２に限定される事無く、図５に示す如く櫛状に形成し、氷Ｉ噛みなどで過大な力が加わった場合に撓る様にしても良い。この場合、氷Ｉ落下時や、山状の氷Ｉを平均化する時に、氷Ｉ自体の破損を極力防止できる。
【００２９】
【発明の効果】
以上詳述した如く、本発明によると、水皿の先端方向、水皿先端とは逆方向の両方に氷を振り分ける事ができ、貯氷量の増加を図る事ができる。
【００３０】
また、振分装置が、山状となって溜められる氷の頂部を崩す事ができ、貯氷を平均化する事ができるため、貯氷量の増加を図る事ができると共に、氷詰まりも防止できる。
【００３１】
更に、切欠にて水皿の先端方向への氷の落下を阻止しないようにできると共に、氷案内部にて水皿先端とは逆方向に氷を導く事ができ、貯氷量の増加を図る事ができる。そして、櫛状の氷案内部は氷噛みなどで過大な力が加わった場合に撓むので、氷の破損を極力防止できる。
【図面の簡単な説明】
【図１】  本発明を具備する逆セル型製氷機の縦断面図である。
【図２】  振分装置の斜視図である。
【図３】  水皿復動時の製氷部の側面図である。
【図４】  水皿傾動時の製氷部の側面図である。
【図５】  他の実施形態を示す振分装置の斜視図である。
【符号の説明】
Ｉ  氷
１  逆セル型製氷機
１２  製氷室
１３  冷却器
１４  製氷部
１５  水皿
１９  水皿開閉駆動機構
２５  振分装置
２６  氷案内部
２７  切欠
【図１】
0004079537.tif 000002
【図２】
0004079537.tif 000003
【図３】
0004079537.tif 000004
【図４】
0004079537.tif 000005
【図５】
0004079537.tif 000006